(57)【要約】      （修正有）【課題】二つのヘッドが多種の嵌合開口の寸法を有するため、多種の寸法を持つ工具と嵌合することが可能な双方向伸縮ソケットを提供する。【解決手段】二つの歯付き穴１１を備え、各歯付き穴１１内には、円周方向に沿って互いに間隔する複数の歯状リブ１１１と、複数の歯状リブ１１１の間にそれぞれ設けられている係合溝１１２とが設けられており、係合溝１１２により、多種の寸法を持つ工具の被駆動ヘッドと嵌合することが可能な外スリーブ１０と、六角穴２１と、六角穴２１を囲むように設けられ、複数の係合溝１１２にスライド可能にそれぞれ設けられている複数の係合歯２２と、を備える二つの内スリーブ２０と、それぞれ二つの歯付き穴１１に収容され、二つの内スリーブ２０を外側へ付勢する二つの弾性部材３０と、を備える。【選択図】図２
0003219779.tif 000002
【実用新案登録請求の範囲】
【請求項１】
二つの歯付き穴を備え、前記各歯付き穴内には、円周方向に沿って互いに間隔する複数の歯状リブと、前記複数の歯状リブの間にそれぞれ設けられている係合溝とが設けられており、前記係合溝により、多種の寸法を持つ工具の被駆動ヘッドと嵌合することが可能な外スリーブと、
六角穴と、前記六角穴を囲むように設けられ、前記複数の係合溝にスライド可能にそれぞれ設けられている複数の係合歯と、を備える二つの内スリーブと、
それぞれ前記二つの歯付き穴に収容され、前記二つの内スリーブを外側へ付勢する二つの弾性部材と、
を備えることを特徴とする双方向伸縮ソケット。
【請求項２】
前記係合溝の数量は、六つより多いことを特徴とする、請求項１に記載の双方向伸縮ソケット。
【請求項３】
前記外スリーブは、更に、前記二つの歯付き穴の間に二つ設けられている角穴を備え、前記各角穴と前記歯付き穴のうちの一つとの間には、前記内スリーブのうちの一つに面する肩面が形成され、前記各弾性部材は、前記肩面のうちの一つに当接することを特徴とする、請求項１に記載の双方向伸縮ソケット。
【請求項４】
少なくとも一つの前記角穴の穴壁には、更に、少なくとも一つの係合窪みが設けられていることを特徴とする、請求項３に記載の双方向伸縮ソケット。
【請求項５】
前記外スリーブの径方向の断面において、前記各歯状リブは、前記外スリーブの中心へ徐々に縮小する二つの下部斜面と、前記二つの下部斜面からそれぞれ伸び徐々に縮小する二つの上部斜面と、を備え、前記上部斜面の勾配の絶対値は、前記下部斜面の勾配の絶対値より小さいことを特徴とする、請求項１に記載の双方向伸縮ソケット。
【請求項６】
何れかの二つの隣り合う前記係合歯の間に溝が形成され、前記各内スリーブの径方向の断面において、前記各溝の輪郭は、前記歯状リブのうちの一つに対応することを特徴とする、請求項５に記載の双方向伸縮ソケット。
【請求項７】
前記各内スリーブは、更に、前記弾性部材のうちの一つに当接する径方向内凸縁を備えることを特徴とする、請求項１に記載の双方向伸縮ソケット。
【請求項８】
前記外スリーブの前記各歯付き穴には、更に、少なくとも一つの止め突起が設けられており、前記各内スリーブには、軸方向に沿って前記止め突起に止められ可能な係合突起が少なくとも一つ設けられていることを特徴とする、請求項１から７の何れかの１項に記載の双方向伸縮ソケット。
【請求項９】
前記止め突起は、前記外スリーブを挿通し、前記外スリーブを囲むフープに規制されることを特徴とする、請求項８に記載の双方向伸縮ソケット。
【請求項１０】
前記フープは、前記外スリーブの環状溝に設けられていることを特徴とする、請求項９に記載の双方向伸縮ソケット。
【考案の詳細な説明】
【技術分野】
【０００１】
本考案は、ソケットに関し、特に、双方向伸縮ソケットに関するものである。
【背景技術】
【０００２】
装置を組付け、又は分解するときに、ソケットはよく利用される工具の一つである。ソケットは、締結部材（例えばネジやボルト）を駆動して回転するためのものであり、部品を組付け、又は分解することが可能である。ソケットに駆動工具を合わせて利用することが一般的である。例えばレンチに合わせると、より大きいトルクを発生して締結部材を駆動して回転することが可能であり、又は空圧工具／電動工具に合わせると、作業者の体力の消耗を減少することが可能である。
【０００３】
しかし、従来のソケットは、単一の寸法を持つ締結部材だけを駆動することが可能である。よく利用される締結部材は、統一規格を有することが一般的であるが、異なる大きさを持つ部品に対応するために、多種の寸法及び態様を有することが一般的である。このため、異なる寸法を持つ締結部材に対応するために、多種のソケットを用意することが必要である。これにより、重量が重くなり、価格が高くなり、より広い保管スペースが必要であり、操作者はソケットを頻繁に交換することが必要なため、組付け作業や分解作業は不便となる。
【考案の概要】
【考案が解決しようとする課題】
【０００４】
本考案の主な目的は、スリーブの開口が多種の寸法を持つ双方向伸縮ソケットを提供することにある。
【課題を解決するための手段】
【０００５】
本考案の双方向伸縮ソケットによると、二つの歯付き穴を備え、各歯付き穴内には、円周方向に沿って互いに間隔する複数の歯状リブと、複数の歯状リブの間にそれぞれ設けられている係合溝とが設けられており、係合溝により、多種の寸法を持つ工具の被駆動ヘッドと嵌合することが可能な外スリーブと、六角穴と、六角穴を囲むように設けられ、複数の係合溝にスライド可能にそれぞれ設けられている複数の係合歯と、を備える二つの内スリーブと、それぞれ二つの歯付き穴に収容され、二つの内スリーブを外側へ付勢する二つの弾性部材と、を備えることを特徴とする。
【０００６】
本考案の双方向伸縮ソケットによると、係合溝の数量は、六つより多いことを特徴とする。
【０００７】
本考案の双方向伸縮ソケットによると、外スリーブは、更に、二つの歯付き穴の間に二つ設けられている角穴を備え、各角穴と歯付き穴のうちの一つとの間には、内スリーブのうちの一つに面する肩面が形成され、各弾性部材は、肩面のうちの一つに当接することを特徴とする。
【０００８】
本考案の双方向伸縮ソケットによると、少なくとも一つの角穴の穴壁には、更に、少なくとも一つの係合窪みが設けられていることを特徴とする。
【０００９】
本考案の双方向伸縮ソケットによると、外スリーブの径方向の断面において、各歯状リブは、外スリーブの中心へ徐々に縮小する二つの下部斜面と、二つの下部斜面からそれぞれ伸び徐々に縮小する二つの上部斜面と、を備え、上部斜面の勾配の絶対値は、下部斜面の勾配の絶対値より小さいことを特徴とする。
【００１０】
本考案の双方向伸縮ソケットによると、何れかの二つの隣り合う係合歯の間に溝が形成され、各内スリーブの径方向の断面において、各溝の輪郭は、歯状リブのうちの一つに対応することを特徴とする。
【００１１】
本考案の双方向伸縮ソケットによると、各内スリーブは、更に、弾性部材のうちの一つに当接する径方向内凸縁を備えることを特徴とする。
【００１２】
本考案の双方向伸縮ソケットによると、外スリーブの各歯付き穴には、更に、少なくとも一つの止め突起が設けられており、各内スリーブには、軸方向に沿って止め突起に止められ可能な係合突起が少なくとも一つ設けられていることを特徴とする。
【００１３】
本考案の双方向伸縮ソケットによると、止め突起は、外スリーブを挿通し、外スリーブを囲むフープに規制されることを特徴とする。
【００１４】
本考案の双方向伸縮ソケットによると、フープは、外スリーブの環状溝に設けられていることを特徴とする。
【考案の効果】
【００１５】
本考案の双方向伸縮ソケットによれば、二つのヘッドは、多種の嵌合開口の寸法を有し、多種の寸法を持つ工具と嵌合することが可能であり、例えばナットやボルトなど締結部材またはそれに類似するものと嵌合することが可能であるという効果を有する。
【図面の簡単な説明】
【００１６】
【図１】本考案の一実施の形態に係る双方向伸縮ソケットを示す斜視図である。
【図２】本考案の一実施の形態に係る双方向伸縮ソケットを示す分解斜視図である。
【図３】本考案の一実施の形態に係る双方向伸縮ソケットを示す断面図である。
【図４】本考案の一実施の形態に係る双方向伸縮ソケットを示す側面図とその一部を示す拡大図である。
【図５】本考案の一実施の形態に係る双方向伸縮ソケットの使用状態を示す図である。
【図６】本考案の一実施の形態に係る双方向伸縮ソケットの使用状態を示す図である。
【考案を実施するための形態】
【００１７】
以下、本考案の実施の形態を図面に基づいて説明する。
【００１８】
図１から図４を参照する。本考案の一実施の形態に係る双方向伸縮ソケット１は、外スリーブ１０と、二つの内スリーブ２０と、二つの弾性部材３０と、を備える。
【００１９】
外スリーブ１０は、二つの歯付き穴１１を備える。各歯付き穴１１内には、円周方向に沿って互いに間隔する複数の歯状リブ１１１と、複数の歯状リブ１１１の間にそれぞれ設けられている複数の係合溝１１２とが設けられている。係合溝１１２により、多種の寸法を持つ工具の被駆動ヘッドと嵌合することが可能である。各内スリーブ２０は、六角穴２１と、六角穴２１を囲むように設けられており、複数の係合溝１１２にそれぞれスライド可能に設けられている複数の係合歯２２と、を備える。二つの弾性部材３０は、それぞれ二つの歯付き穴１１に収容され、二つの内スリーブ２０を外側へ付勢する。二つの歯付き穴１１の寸法が互いに異なり、二つの内スリーブ２０の六角穴２１の寸法が互いに異なることが好ましい。これにより、二つのヘッドは、多種の嵌合開口の寸法を有し、多種の寸法を持つ工具と嵌合することが可能であり、例えばナットやボルトなど締結部材またはそれに類似するものと嵌合することが可能である。
【００２０】
係合溝１１２の数量は六つより多い。本実施の形態に係る係合溝１１２は、１２個あり、等角に複数の組に分けられることが可能であり、各組の係合溝１１２が、異なる嵌合開口の寸法を持つため、異なる寸法および異なる角部の数量を持つ工具に適用することが可能である。二つの歯付き穴１１は異なる寸法を持つ係合溝組を有することが好ましい。これにより、適用可能の寸法はもっと多くなる。外スリーブ１０は、更に、二つの歯付き穴１１の間に設けられている二つの角穴１２を備える。二つの角穴１２は互いに連通する。少なくとも一つの角穴１２の穴壁には、更に、少なくとも一つの係合窪み１２１が設けられている。角穴１２に駆動工具（手動工具、エア工具、又は電動工具）の駆動ヘッドを組付けることが可能である。係合窪み１２１に駆動工具の駆動ヘッドの弾性付き係合機構を係合することが可能である。各角穴１２と歯付き穴１１のうちの一つとの間には、内スリーブ２０のうちの一つに面する肩面１２２が形成される。各弾性部材３０は、肩面１２２のうちの一つに当接する。係合窪み１２１は、径方向に沿って外スリーブ１０を貫通し、ロッドに差し込まれて旋回することが可能である。係合窪み１２１には、更に、プラグ１２３がねじ込まれている。これにより、異物の侵入を防止することが可能である。
【００２１】
複数の係合溝１１２に複数の歯状リブ１１１を合わせることにより、外スリーブ１０及び内スリーブ２０の組付けがもっと安定的となり、応力を有効に分散することが可能であり、内スリーブ２０の作動が精確となる。歯状リブ１１１と係合溝１１２との数量は同じであることが好ましいが、歯状リブ１１１の数量が係合溝１１２の数量より少なくてもよい。外スリーブ１０の径方向の断面において、各歯状リブ１１１は、外スリーブ１０の中心へ徐々に縮小する二つの下部斜面１１３と、二つの下部斜面１１３からそれぞれ伸び徐々に縮小する二つの上部斜面１１４と、を備える。上部斜面１１４の勾配の絶対値は、下部斜面１１３の勾配の絶対値より小さい。差し込まれる工具は下部斜面１１３に安定的に寄掛かることが可能であり、上部斜面１１４により、当該工具の角部の損壊を防止することが可能である。何れかの二つの隣り合う係合歯２２の間に溝２２１が形成される。各内スリーブ２０の径方向の断面において、各溝２２１の輪郭は歯状リブ１１１のうちの一つに対応する。上部斜面１１３及び下部斜面 １１４が溝２２１の歯状を呈する輪郭に合うため、構造の安定度を有効に増加することが可能であり、スリップを防止することが可能であり、回転方向の接触面積およびトルクの伝達が増加する。
【００２２】
外スリーブ１０の各歯付き穴１１には、更に、少なくとも一つの止め突起１３が設けられている。止め突起１３は、外スリーブ１０と一体に成形され、又は外スリーブ１０とは別体である。各内スリーブ２０には、軸方向に沿って止め突起１３に止められる係合突起２２２が少なくとも一つ設けられている。これにより、内スリーブ２０の脱出を防止することが可能である。止め突起１３は、外スリーブ１０にねじ込む締結部材でもいいし、凸縁、玉、ピン、フック又はそれに類似するものでもよい。本実施の形態では、止め突起１３は、外スリーブ１０を挿通し、外スリーブ１０を囲むフープ４０に規制される。フープ４０は、例えばコイルバネや弾性付きストリップであるが、本考案はこれらに限定されない。フープ４０は外スリーブ１０の環状溝１４に配されている。フープ４０は、安定的であり、ずれず、外スリーブ１０の外面と面一である。
【００２３】
各内スリーブ２０は、更に、弾性部材３０のうちの一つに当接する径方向内凸縁２３を備える。径方向内凸縁２３により、内スリーブ２０が安定的に押さえられ、差し込まれる工具が安定的となり、作業の位置を精確に位置決めることが可能である。
【００２４】
例えば、六角ボルト５０又はナット（例えば図５）に内スリーブ２０を嵌合することが可能である。六角ボルト５０又はナットの寸法が内スリーブ２０の六角穴の寸法より大きい場合には、図６に示すように、歯付き穴に押し込むことにより、外スリーブ１０によって六角ボルト６０又はナットを駆動することが可能である。
【００２５】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００２６】
１    双方向伸縮ソケット
１３    止め突起
１０    外スリーブ
１４    環状溝
１１    歯付き穴
１２    角穴
２０    内スリーブ
２１    六角穴
２２    係合歯
２３    径方向内凸縁
３０    弾性部材
４０    フープ
５０、６０    六角ボルト
１１１    歯状リブ
１１２    係合溝
１１３    下部斜面
１１４    上部斜面
１２１    係合窪み
１２２    肩面
１２３    プラグ
２２１    溝
２２２    係合突起
【図１】
0003219779.tif 000003
【図２】
0003219779.tif 000004
【図３】
0003219779.tif 000005
【図４】
0003219779.tif 000006
【図５】
0003219779.tif 000007
【図６】
0003219779.tif 000008